(57)【要約】【課題】この発明は、信号の出力対象となる受信側機器の受信仕様に対応した形態の信号を出力することができる可能性を容易に向上させ、十分に実用化に適するようにした信号出力装置及び信号出力方法を提供することを目的としている。【解決手段】接続された受信側機器１３からその受信仕様を示す情報（ＥＤＩＤデータ）を取得し、その取得された受信仕様（ＥＤＩＤデータ）に対応した形態の映像または音声を含む信号を、装着された情報記録媒体１２及びネットワーク１４上のデータサーバ１５のいずれか一方から検索して取得する。そして、取得した信号に所定の信号処理を施して受信側機器１３に出力する【選択図】    図１
2006287364.tif 000002
【特許請求の範囲】
【請求項１】
装着された情報記録媒体から映像または音声を含む信号を読み取る読み取り手段と、
ネットワーク上のデータサーバから映像または音声を含む信号を取得する信号取得手段と、
接続された受信側機器からその受信仕様を示す情報を取得する仕様取得手段と、
前記仕様取得手段で取得された受信仕様に対応した形態の映像または音声を含む信号を、前記情報記録媒体及び前記データサーバのいずれか一方から検索して取得する制御手段と、
前記制御手段で取得した信号に所定の信号処理を施して前記受信側機器に出力する出力手段とを具備することを特徴とする信号出力装置。
【請求項２】
前記制御手段は、前記仕様取得手段で取得された受信仕様に対応した形態の映像または音声を含む信号を前記情報記録媒体から検索し、該情報記録媒体に記録されていない場合に、前記データサーバから検索することを特徴とする請求項１記載の信号出力装置。
【請求項３】
前記仕様取得手段で取得された受信仕様に対応した形態の映像または音声を含む信号が、前記情報記録媒体及び前記データサーバのいずれにも存在しない場合に、その旨を表示する表示手段を具備することを特徴とする請求項１または２記載の信号出力装置。
【請求項４】
前記出力手段は、前記制御手段で取得した信号に不正コピー防止処理を施して前記受信側機器に出力することを特徴とする請求項１乃至３いずれかに記載の信号出力装置。
【請求項５】
前記出力手段は、前記制御手段で取得した信号をＨＤＭＩ規格に準拠した形態で前記受信側機器に出力することを特徴とする請求項１乃至４いずれかに記載の信号出力装置。
【請求項６】
前記受信側機器の受信仕様を示す情報は、ＥＤＩＤデータであることを特徴とする請求項５記載の信号出力装置。
【請求項７】
接続された受信側機器からその受信仕様を示す情報を取得する第１の工程と、
前記第１の工程で取得された受信仕様に対応した形態の映像または音声を含む信号を、装着された情報記録媒体及びネットワーク上のデータサーバのいずれか一方から検索して取得する第２の工程と、
前記第２の工程で取得した信号に所定の信号処理を施して前記受信側機器に出力する第３の工程とを具備することを特徴とする信号出力方法。
【請求項８】
前記第２の工程は、
前記第１の工程で取得された受信仕様に対応した形態の映像または音声を含む信号を前記情報記録媒体から検索する工程と、
前記第１の工程で取得された受信仕様に対応した形態の映像または音声を含む信号が前記情報記録媒体に記録されていない場合に、前記データサーバから検索する工程とを具備することを特徴とする請求項７記載の信号出力方法。
【請求項９】
前記第１の工程で取得された受信仕様に対応した形態の映像または音声を含む信号が、前記情報記録媒体及び前記データサーバのいずれにも存在しない場合に、その旨を表示する第４の工程を具備することを特徴とする請求項７または８記載の信号出力方法。
【発明の詳細な説明】
【技術分野】
【０００１】
この発明は、例えば映像や音声等のデジタル信号を外部接続された他の受信機器に出力する信号出力装置及び信号出力方法に関する。
【背景技術】
【０００２】
周知のように、デジタル映像信号を伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
また、ＨＤＭＩ規格では、信号の伝送に先立ち、送信側の機器と受信側の機器との間で認証を行なうことにより、送信側の機器が受信側の機器の性能に合わせた形態で信号を出力することができる。すなわち、送信側の機器は、受信側の機器からＥＤＩＤ（extended display identification）データを取得することにより、受信側機器の受信仕様を認識し、それに合わせた形態で信号を出力している。
【０００５】
ところで、このようなＨＤＭＩ規格に準拠したデジタル信号の伝送方式では、送信側の機器が、その出力信号に対して、受信側の機器から取得した受信仕様に合わせた形態となるように信号処理を施している。このため、受信仕様に応じては、それに合わせた形態に信号処理を行なうことができない場合もあり、ユーザにとって取り扱いが不便なものとなっている。
【０００６】
特許文献１には、同一内容で属性の異なる複数の非文書データの中から、出力先の機器に応じた属性を有するものを選択し、その選択された非文書データを出力先の機器に伝送するようにした情報処理装置の構成が開示されている。
【特許文献１】特開平１０−４０１８７号公報
【発明の開示】
【発明が解決しようとする課題】
【０００７】
そこで、この発明は上記事情を考慮してなされたもので、信号の出力対象となる受信側機器の受信仕様に対応した形態の信号を出力することができる可能性を容易に向上させ、十分に実用化に適するようにした信号出力装置及び信号出力方法を提供することを目的とする。
【課題を解決するための手段】
【０００８】
この発明に係る信号出力装置は、装着された情報記録媒体から映像または音声を含む信号を読み取る読み取り手段と、ネットワーク上のデータサーバから映像または音声を含む信号を取得する信号取得手段と、接続された受信側機器からその受信仕様を示す情報を取得する仕様取得手段と、仕様取得手段で取得された受信仕様に対応した形態の映像または音声を含む信号を、情報記録媒体及びデータサーバのいずれか一方から検索して取得する制御手段と、制御手段で取得した信号に所定の信号処理を施して受信側機器に出力する出力手段とを備えるようにしたものである。
【０００９】
また、この発明に係る信号出力方法は、接続された受信側機器からその受信仕様を示す情報を取得する第１の工程と、第１の工程で取得された受信仕様に対応した形態の映像または音声を含む信号を、装着された情報記録媒体及びネットワーク上のデータサーバのいずれか一方から検索して取得する第２の工程と、第２の工程で取得した信号に所定の信号処理を施して受信側機器に出力する第３の工程とを備えるようにしたものである。
【発明の効果】
【００１０】
上記した構成及び方法によれば、受信側機器の受信仕様に対応した形態の映像または音声を含む信号を、情報記録媒体またはネットワーク上のデータサーバから検索して受信側機器に出力するようにしたので、受信側機器の受信仕様に対応した形態の信号を出力することができる可能性を容易に向上させることができる。
【発明を実施するための最良の形態】
【００１１】
以下、この発明の実施の形態について図面を参照して詳細に説明する。図１は、この実施の形態で説明するデジタル信号伝送システムの概略を示している。図１において、符号１１は送信側の電子機器となる光ディスク再生装置である。
【００１２】
この光ディスク再生装置１１は、情報記録媒体である光ディスク１２が装着されると、その光ディスク１２を再生して得られた映像や音声等の信号をＨＤＭＩ規格に準拠した形態に変換し、受信側の電子機器となるテレビジョン受信装置１３に送信している。
【００１３】
また、この光ディスク再生装置１１は、ネットワーク１４を介して所定のデータサーバ１５にアクセス要求し、このデータサーバ１５から映像や音声等の信号を取得することができる。
【００１４】
そして、この光ディスク再生装置１１は、データサーバ１５から取得した映像や音声等の信号をＨＤＭＩ規格に準拠した形態に変換し、テレビジョン受信装置１３に送信することもできる。
【００１５】
また、上記テレビジョン受信装置１３は、テレビジョン放送信号を受信して映像表示や音声再生を行なう機能を有するとともに、光ディスク再生装置１１から供給された映像や音声の信号に対して、映像表示や音声再生を行なう機能を有する。
【００１６】
ここにおいて、光ディスク再生装置１１は、テレビジョン受信装置１３に映像や音声等の信号を出力するに先立ち、テレビジョン受信装置１３に対してＥＤＩＤ データの取得を要求する。
【００１７】
このテレビジョン受信装置１３には、予め自己のディスプレイ仕様（解像度等）や音声チャンネル数等の受信仕様を示すＥＤＩＤデータが格納されており、光ディスク再生装置１１からの要求に応じて、そのＥＤＩＤデータを光ディスク再生装置１１に送信する。
【００１８】
そして、光ディスク再生装置１１では、取得したＥＤＩＤデータに基づいてテレビジョン受信装置１３の受信仕様を認識し、その受信仕様に対応した形態の映像や音声等の信号を、光ディスク１２またはデータサーバ１５から検索して、テレビジョン受信装置１３に出力するようにしている。
【００１９】
すなわち、光ディスク再生装置１１では、テレビジョン受信装置１３の受信仕様に対応した形態の信号を、光ディスク１２またはデータサーバ１５から検索して取得するようにしている。
【００２０】
このため、光ディスク再生装置１１がテレビジョン受信装置１３の受信仕様に対応した形態の信号を出力することができる可能性を容易に向上させることができ、十分に実用化に適するものとなる。
【００２１】
図２は、上記光ディスク再生装置１１の映像信号処理系を示している。この光ディスク再生装置１１は、例えばＤＶＤ（digital versatile disk）等の光ディスク１２がディスクドライブ部１６に装着され、再生が要求されることにより、その記録データの読み取りが行なわれる。
【００２２】
そして、このディスクドライブ部１６で読み取られたデータは、デコーダ部１７及び信号処理部１８に供給されることにより、デジタル化処理、エラー訂正処理及び復号化処理等が順次施されて、デジタルの映像信号に復元される。
【００２３】
この復元されたデジタルの映像信号は、ＯＳＤ（on screen display）信号付加部１９に供給されてＯＳＤ信号が付加された後、ＨＤＭＩ送受信部２０に供給されてＨＤＭＩ規格に準拠した形態に変換され、出力端子２１を介して、受信側の機器（この場合、テレビジョン受信装置１３）に導出される。
【００２４】
また、このＨＤＭＩ送受信部２０は、入出力端子２２を介して、受信側の機器（テレビジョン受信装置１３）に対してＥＤＩＤデータの取得を要求することができる。さらに、このＨＤＭＩ送受信部２０は、入出力端子２２を介して、受信側の機器（テレビジョン受信装置１３）から出力されたＥＤＩＤデータを取得することができる。
【００２５】
ここで、光ディスク再生装置１１は、上記した再生動作を含むその全ての動作を制御部２３により統括的に制御されている。この制御部２３は、ＣＰＵ（central processing unit）等を内蔵しており、操作部２４からの操作情報、または、リモートコントローラ２５の送信信号を受信する受信部２６からの操作情報を受信し、その操作内容が反映されるように各部をそれぞれ制御している。
【００２６】
この場合、制御部２３は、メモリ部２７を利用している。このメモリ部２７は、主として、ＣＰＵが実行する制御プログラムを格納したＲＯＭ（read only memory）と、該ＣＰＵに作業エリアを提供するＲＡＭ（random access memory）と、各種の設定情報及び制御情報等が格納される不揮発性メモリとを有している。
【００２７】
ここで、上記制御部２３は、インターフェース部２８及び接続端子２９を介して、ネットワーク１４に接続されたデータサーバ１５にアクセス要求し、このデータサーバ１５から所望の映像信号を取得することができる。
【００２８】
そして、データサーバ１５から取得した映像信号は、信号処理部１８に供給されて所定の信号処理が施され、ＯＳＤ信号付加部１９でＯＳＤ信号が付加された後、ＨＤＭＩ送受信部２０によりＨＤＭＩ規格に準拠した形態に変換され、出力端子２１を介して、受信側の機器（テレビジョン受信装置１３）に導出される。
【００２９】
ここで、上記制御部２３は、ＨＤＭＩ送受信部２０で取得したＥＤＩＤデータに基づいてテレビジョン受信装置１３の受信仕様を認識し、その受信仕様に対応した形態の映像信号を、光ディスク１２またはデータサーバ１５から検索して、テレビジョン受信装置１３に出力するようにしている。
【００３０】
例えば、テレビジョン受信装置１３のディスプレイ仕様が標準画質に対応するＳＤ（standard）仕様であれば、制御部２３は、光ディスク１２またはデータサーバ１５のコンテンツからＳＤ対応の映像信号を検索して、テレビジョン受信装置１３に出力する。
【００３１】
また、テレビジョン受信装置１３のディスプレイ仕様が高画質に対応するＨＤ（high definition）仕様であれば、制御部２３は、光ディスク１２またはデータサーバ１５のコンテンツからＨＤ対応の映像信号を検索して、テレビジョン受信装置１３に出力する。
【００３２】
この場合、ユーザが視聴を要求した同じコンテンツに対して、ＳＤ対応の映像信号とＨＤ対応の映像信号とが、光ディスク１２またはデータサーバ１５に予め用意されていることを想定している。
【００３３】
図３は、光ディスク再生装置１１がテレビジョン受信装置１３の受信仕様に対応した映像信号を検索して出力する動作の一例をまとめたフローチャートを示している。まず、処理が開始（ステップＳ１）されると、制御部２３は、ステップＳ２で、受信側の機器（テレビジョン受信装置１３）が接続されたか否かを判別する。
【００３４】
そして、テレビジョン受信装置１３が接続されたと判断された場合（ＹＥＳ）、制御部２３は、ステップＳ３で、テレビジョン受信装置１３に対してＥＤＩＤデータの取得を要求し、ステップＳ４で、テレビジョン受信装置１３からＥＤＩＤデータを取得する。
【００３５】
その後、制御部２３は、ステップＳ５で、取得したＥＤＩＤデータに基づいてテレビジョン受信装置１３の受信仕様を認識し、その受信仕様に対応した形態の映像信号が光ディスク１２に記録されているか否かを判別する。
【００３６】
そして、テレビジョン受信装置１３の受信仕様に対応した形態の映像信号が光ディスク１２に記録されていると判断された場合（ＹＥＳ）、制御部２３は、ステップＳ６で、光ディスク１２から対応する形態の映像信号を再生し、ステップＳ７で、その再生された映像信号をＨＤＭＩ規格に準拠した形態でテレビジョン受信装置１３に送信して、処理を終了（ステップＳ８）する。
【００３７】
なお、上記ステップＳ７における映像信号のテレビジョン受信装置１３への送信にあたっては、例えばＨＤＣＰ（high bandwidth digital content protection）技術を用いて、映像信号の不正コピー防止対策が施されている。
【００３８】
一方、上記ステップＳ５で、テレビジョン受信装置１３の受信仕様に対応した形態の映像信号が光ディスク１２に記録されていないと判断された場合（ＮＯ）、制御部２３は、ステップＳ９で、ネットワーク１４を介してデータサーバ１５にアクセスし、ステップＳ１０で、データサーバ１５にテレビジョン受信装置１３の受信仕様に対応した形態の映像信号が存在するか否かを判別する。
【００３９】
そして、テレビジョン受信装置１３の受信仕様に対応した形態の映像信号がデータサーバ１５に存在すると判断された場合（ＹＥＳ）、制御部２３は、ステップＳ１１で、データサーバ１５から対応する形態の映像信号を取得し、ステップＳ７の処理に移行される。
【００４０】
また、上記ステップＳ１０で、テレビジョン受信装置１３の受信仕様に対応した形態の映像信号がデータサーバ１５に存在しないと判断された場合（ＮＯ）、制御部２３は、ステップＳ１２で、テレビジョン受信装置１３の受信仕様に対応した形態の映像信号が、光ディスク１２及びデータサーバ１５のいずれにも無いことを示す旨のメッセージを、ＯＳＤによりテレビジョン受信装置１３に表示させて、処理を終了（ステップＳ８）する。
【００４１】
上記した実施の形態によれば、テレビジョン受信装置１３の受信仕様に対応した形態の映像信号を、光ディスク１２またはデータサーバ１５から検索してテレビジョン受信装置１３に出力するようにしたので、受信側機器の受信仕様に対応した形態の信号を出力することができる可能性を容易に向上させることができる。
【００４２】
なお、テレビジョン受信装置１３に出力する映像信号の形態は、ユーザの操作によって任意に設定することも可能である。例えば、接続されているテレビジョン受信装置１３の受信仕様に無関係に、出力端子２１から出力される映像信号の形態を、ＳＤ仕様またはＨＤ仕様に固定することができる。
【００４３】
また、テレビジョン受信装置１３がＳＤ仕様であり、光ディスク１２及びデータベース１５にＨＤ仕様の映像信号しかない場合には、光ディスク１２またはデータベース１５から取得したＨＤ仕様の映像信号を、信号処理部１８でＳＤ仕様にダウンコンバートして、テレビジョン受信装置１３に出力することもできる。
【００４４】
逆に、テレビジョン受信装置１３がＨＤ仕様であり、光ディスク１２及びデータベース１５にＳＤ仕様の映像信号しかない場合には、光ディスク１２またはデータベース１５から取得したＳＤ仕様の映像信号を、信号処理部１８でＨＤ仕様にアップコンバートして、テレビジョン受信装置１３に出力することもできる。
【００４５】
図４は、光ディスク再生装置１１が受信側の機器（テレビジョン受信装置１３）に映像信号を出力しているときに、そのテレビジョン受信装置１３が取り外され、他の受信仕様を持つ受信側機器（テレビジョン受信装置１３）が接続された場合の動作をまとめたフローチャートを示している。
【００４６】
この動作は、光ディスク再生装置１１が光ディスク１２またはデータサーバ１５から、特定のテレビジョン受信装置１３の受信仕様に対応した形態の映像信号を取得して出力している状態で、処理が開始（ステップＳ１３）される。
【００４７】
すると、制御部２３は、ステップＳ１４で、特定のテレビジョン受信装置１３が取り外されたか否かを判別し、取り外されたと判断された場合（ＹＥＳ）、制御部２３は、ステップＳ１５で、特定のテレビジョン受信装置１３が取り外される直前に送信していた映像信号に対して、その再生位置を示す情報を含む各種の再生管理情報を生成し、メモリ部２７に記録する。
【００４８】
その後、制御部２３は、ステップＳ１６で、他のテレビジョン受信装置１３が接続されたか否かを判別し、接続されたと判断された場合（ＹＥＳ）、ステップＳ１７で、そのテレビジョン受信装置１３に対してＥＤＩＤデータの取得を要求し、ステップＳ１８で、テレビジョン受信装置１３からＥＤＩＤデータを取得する。
【００４９】
そして、制御部２３は、ステップＳ１９で、取得したＥＤＩＤデータに基づいてテレビジョン受信装置１３の受信仕様を認識し、その受信仕様に対応した形態の映像信号を光ディスク１２またはデータサーバ１５から取得してテレビジョン受信装置１３に送信し、処理を終了（ステップＳ２０）する。
【００５０】
この場合、上記ステップＳ１９において、制御部２３は、メモリ部２７に記録されている再生管理情報に基づいて、特定のテレビジョン受信装置１３が取り外される直前に送信していた映像信号の続きとなる映像信号を、光ディスク１２またはデータサーバ１５から取得してテレビジョン受信装置１３に送信する。
【００５１】
このような動作によれば、例えば、光ディスク１２内に同じコンテンツでＳＤ対応の映像信号とＨＤ対応の映像信号とが共に記録されており、ＳＤ仕様のテレビジョン受信装置１３でＳＤ対応の映像信号を再生中に、ＨＤ仕様のテレビジョン受信装置１３に交換された場合でも、ＨＤ仕様のテレビジョン受信装置１３では、ＳＤ仕様のテレビジョン受信装置１３で見た箇所の続きから自動的に見ることが可能となる。
【００５２】
なお、交換された後に、そのＨＤ仕様のテレビジョン受信装置１３に再生を開始させる映像信号の位置は任意に設定することができる。例えば、ＳＤ仕様のテレビジョン受信装置１３が取り外された時点の１０秒前の映像信号から、ＨＤ仕様のテレビジョン受信装置１３で再生を開始させるようにしても良いものである。
【００５３】
また、図５に示すように、光ディスク再生装置１１が、ＳＤ対応の映像信号を出力するＳＤ出力端子２１ａと、ＨＤ対応の映像信号を出力するＨＤ出力端子２１ｂとを有する場合には、以下のようなシステム構成が考えられる。
【００５４】
まず、光ディスク再生装置１１がＨＤ対応の映像信号を再生するとき、ＳＤ出力端子２１ａからＯＳＤ信号、ＨＤ出力端子２１ｂからＨＤ対応の映像信号を出力させ、ＳＤ対応の映像信号を再生するとき、ＳＤ及びＨＤ出力端子２１ａ，２１ｂから共にＳＤ対応の映像信号を出力させるモードとし、このモードへの切り替えをＯＳＤ表示に基づく設定画面上で行なうようにする。
【００５５】
また、光ディスク再生装置１１がＨＤ対応の映像信号を再生するとき、ＳＤ出力端子２１ａからＳＤ対応の映像信号、ＨＤ出力端子２１ｂからＨＤ対応の映像信号を出力させ、ＳＤ対応の映像信号を再生するとき、ＳＤ及びＨＤ出力端子２１ａ，２１ｂから共にＳＤ対応の映像信号を出力させるモードとし、このモードへの切り替えをＯＳＤ表示に基づく設定画面上で行なうようにする。
【００５６】
さらに、光ディスク再生装置１１がＨＤ対応の映像信号を再生するとき、ＳＤ出力端子２１ａからＳＤ対応の映像信号、ＨＤ出力端子２１ｂからＨＤ対応の映像信号を出力させ、ＳＤ対応の映像信号を再生するとき、ＳＤ及びＨＤ出力端子２１ａ，２１ｂから共にＳＤ対応の映像信号を出力させるモードとし、このモードへの切り替えをリモートコントローラ２５の操作で行なうようにする。
【００５７】
また、光ディスク再生装置１１がＨＤ対応の映像信号を再生するとき、ＳＤ出力端子２１ａからＳＤ対応の映像信号、ＨＤ出力端子２１ｂからＨＤ対応の映像信号を出力させ、ＳＤ対応の映像信号を再生するとき、ＳＤ及びＨＤ出力端子２１ａ，２１ｂから共にＳＤ対応の映像信号を出力させるモードとし、このモードへの切り替えを操作部２４の操作で行なうようにする。
【００５８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５９】
【図１】この発明の実施の形態を示すもので、デジタル信号伝送システムの概略を説明するために示すブロック構成図。
【図２】同実施の形態における光ディスク再生装置の映像信号処理系を説明するために示すブロック構成図。
【図３】同実施の形態における光ディスク再生装置の主要な処理動作を説明するために示すフローチャート。
【図４】同実施の形態における光ディスク再生装置の他の処理動作を説明するために示すフローチャート。
【図５】同実施の形態における光ディスク再生装置の変形例を説明するために示すブロック構成図。
【符号の説明】
【００６０】
１１…光ディスク再生装置、１２…光ディスク、１３…テレビジョン受信装置、１４…ネットワーク、１５…データサーバ、１６…ディスクドライブ部、１７…デコーダ部、１８…信号処理部、１９…ＯＳＤ信号付加部、２０…ＨＤＭＩ送受信部、２１…出力端子、２２…入出力端子、２３…制御部、２４…操作部、２５…リモートコントローラ、２６…受信部、２７…メモリ部、２８…インターフェース部、２９…接続端子。
【図１】
2006287364.tif 000003
【図２】
2006287364.tif 000004
【図３】
2006287364.tif 000005
【図４】
2006287364.tif 000006
【図５】
2006287364.tif 000007